(57)【要約】      （修正有）【課題】被保持物品が基台の窓孔より大きくても窓孔を拡大して対応することができる物品保持具を提供する。【解決手段】物品保持具１が、窓孔１０を表面部３に形成した箱型の基台２と、前記表面部に形成されて上記窓孔の四隅の各隅角部から対角線に沿って表面部の四隅隅角部に向かう４つの切込誘導部５と、該切込誘導部の外端を結ぶ外周に沿う折り込みガイド部７とを設けてなり、窓孔が被保持物品より小さい場合には、切込誘導部に沿って基台表面部を切り離して切り込みを形成し、前記折り込みガイド部を中心にして隣接する一対の切り込み線に囲まれた可動片８を傾動して窓孔を拡大することができるようにした。【選択図】  図１
2004210368.tif 000002
【特許請求の範囲】
【請求項１】
中空位置で略中央に形成された窓孔と、該窓孔を覆って基台に固着されたフイルムとを備えた物品保持具を用い、被保持物品を上記フイルムで押圧して保持してなる物品保持構造において、
物品保持具が、窓孔を表面部に形成した基台と、前記表面部に形成されて上記窓孔から対角線に沿って表面部の隅角部に向かう切込誘導部と、該切込誘導部の外端を結ぶ外周に沿う折り込みガイド部とを設けてなり、
窓孔が被保持物品より小さい場合には、切込誘導部に沿って基台表面部を切り離して切り込みを形成し、前記折り込みガイド部を中心にして隣接する一対の切り込み線に囲まれた可動片を傾動して窓孔を拡大することができるようにしたことを特徴とする物品保持構造。
【請求項２】
切込誘導部の延出端に、切込誘導部と同一または幅広に形成された孔または切込誘導部と交差する切込線からなる終点ガイド部を設けており、該終点ガイド部を結ぶ線に沿って折り込みガイド部が形成されていることを特徴とする請求項１に記載の物品保持構造。
【請求項３】
切込誘導部の中途位置に、切込誘導部を切り離した際に分離の区切りとなる区切りガイド部が設けられており、該区切りガイド部に沿って折り込みガイド部が形成されていることを特徴とする請求項１または２に記載の物品保持構造。
【発明の詳細な説明】
【０００１】
【産業上の利用分野】
この発明は、フイルムで覆われた窓孔を中空位置に保持する基台を用いて、被保持物品を保持して包装する物品保持具の改良に関する。
【０００２】
【従来の技術】
従来、窓孔を中空位置に保持する基台と、該基台に外周縁が固着され上記窓孔を緊張状態で覆って被保持物品を押圧するフイルムとからなる物品保持具の構造は知られている。
この従来構成では、緊張したフイルムを被保持物品が押圧して反発可能に変形させ、フイルムはその反発力で被保持物品を保持している。
そして、物品が窓孔より大きい場合に、窓孔に切込線とその外周に折り込み線を形成して窓孔を大きく開きうるようにした構成は知られている。
しかし、この構成では、窓孔は、隣接する切込線と折り込み線で囲まれた片がフイルムに僅かな力が加わっても傾いてしまうため、窓孔より小さい物品を保持する際に、窓孔を小さいままに保持することは困難であった。
そのため、実質的な窓孔は、折り込み線で囲まれた範囲となっており、大きさの異なる被保持物品を適切な保持力で保持することは困難であった。
【０００３】
【特許文献１】
特開平７−３３００３４号（包装装置の基本形状を示す。  図１参照）
【特許文献２】
特開平９−２９０８０４号（切込線を有する構造を示す。  図５参照）
【０００４】
【発明が解決しようとする課題】
この発明は上記問題点を解決するために創案されたものであって、その主たる課題は、切込誘導部を設けて、被保持物品が窓孔より小さい場合には切込誘導部を切り離さずに窓孔の大きさを維持し、被保持物品が窓孔より大きい場合には切込誘導部を切り離して基台の表面部に切り込みを入れて窓孔を大きくすることができるようにした物品保持具を提供することにある。
【０００５】
【課題を解決するための手段】
この発明は上記課題を解決するため、請求項１の発明では、
中空位置で略中央に形成された窓孔と、該窓孔を覆って基台に固着されたフイルムとを備えた物品保持具を用い、被保持物品を上記フイルムで押圧して保持してなる物品保持構造において、
物品保持具が、窓孔を表面部に形成した基台と、前記表面部に形成されて上記窓孔から対角線に沿って表面部の隅角部に向かう切込誘導部と、該切込誘導部の外端を結ぶ外周に沿う折り込みガイド部とを設けてなり、
窓孔が被保持物品より小さい場合には、切込誘導部に沿って基台表面部を切り離して切り込みを形成し、前記折り込みガイド部を中心にして隣接する一対の切り込み線に囲まれた可動片を傾動して窓孔を拡大することができるようにしてなる、という技術的手段を講じている。
また、請求項２の発明では、
前記切込誘導部の延出端に、切込誘導部と同一または幅広に形成された孔または切込誘導部と交差する切込線からなる終点ガイド部を設けており、該終点ガイド部を結ぶ線に沿って折り込みガイド部が形成されている、という技術的手段を講じている。
更に、請求項３の発明では、
前記切込誘導部の中途位置に、切込誘導部を切り離した際に分離の区切りとなる区切りガイド部が設けられており、該区切りガイド部に沿って折り込みガイド部が形成されている、という技術的手段を講じている。
【０００６】
【発明の実施の形態】
以下に、この発明の物品保持構造の好適実施例について図面を参照して説明する。
図１および図２に示す物品保持構造に用いる第１実施例の物品保持具１は、ボックス状の基台２の表面部３に窓孔１０を形成しており、基台２の表面部３には窓孔１０を覆う弾性および可撓性を有するプラスチック製のフイルム１５が張設されている。
【０００７】
即ち、基台２は、図示例の場合、扁平な矩形の表面部３とその４辺の外周に沿って垂下し表面部３を中空状に保持する周壁４を有し、底面側が開口する箱型からなっている。
この基台２の表面部３の中央に窓孔１０が設けられる。
【０００８】
窓孔１０の外側となる表面部３には、４つの切込誘導部５が放射状に設けられている。
即ち、この切込誘導部５は、窓孔１０の各隅角部から対角線に沿って表面部３の四隅の隅角部に向かって、本実施例ではその中途位置まで延びるように形成されている。
この切込誘導部５は、公知の帯状に形成された点線状の切り込みからなっており、先端（内端）を持って引き剥がすことにより表面部３が切り離されて切り込みＫが形成されるものである（図２参照）。
【０００９】
そして、この切込誘導部５の外端を結ぶ線に沿って、折り込みガイド部７が形成されている。
ここで折り込みガイド部７は、折り曲げる際の屈曲中心線となるもので、折り目や、折り目を作るためのガイドとして表示された点線、点線状の切り込みなどであってもよい。
また、切込誘導部５が表面部３の角隅部まで延びる場合は、その周壁４の上端となる角部が折り込みガイド部７に相当するので折り込みガイド部７として特別な構成は不要となる。
【００１０】
そして、図２に示すように、表面部３には、隣接する一対の切り込みＫ、Ｋとの間で折り込みガイド部７を屈曲中心線として折り曲げ可能な可動片８が形成され、被包装物品Ｇが窓孔１０の大きさより大きい場合に可動片８が折り込み線７に沿って折り曲げられて窓孔１０のエリアを広げ被包装物品Ｇを収納しうるようになっている。
【００１１】
この物品保持具１では、前記窓孔１０を緊張状態で覆って上記被保持物品を保持するフイルム１５が基台２に固着されている。
即ち、このフイルム１５は、可撓性および弾性を有するプラスチックフイルムまたはシートが用いられており、前記切込誘導部５および折り込みガイド部７の外側で縁部が基台２に接着されている。
【００１２】
図示例の場合、このフイルム１５は、その周縁部が基台２の表面部３で折り込みガイド部７の外側に接着されている。
これによりフイルム１５が基台２に固着し、窓孔１０ないし切込誘導部５が切り取られ、可動片８が傾動して拡大される窓孔１０’を覆うことができ、窓孔１０の周縁、または折り込みガイド部７で囲まれた拡大された窓孔１０’の周縁で撓んで被包装物品を保持することができるようになっている。
【００１３】
次ぎに、図３に示す物品保持具１は、表面部３の隅角部まで切込誘導部５を延出した異なる実施例を示す。
この場合、切込誘導部５を切り離すと、切り込みＫ（図示せず）は、表面部３の隅角部いっぱいまで形成されるので、可動片８は表面部３のコーナーＣを屈曲中心線として傾動するので折り込みガイド部７を設ける必要がない。
【００１４】
また、フイルム１５は基台２の表面部３の全域を覆ってその縁部が基台２の周壁４側で接着されている。これによりフイルム１５は基台２の表面部３では接着されておらず、窓孔１０が表面部３全域に拡大されても被保持物品を保持することができる。
その他の構成は前記実施例と同様であるのでその説明を省略する。
【００１５】
次ぎに、図４に示す物品保持具１は、切込誘導部５が点線状に切り込まれた切り込み線からなっており、その延出端に、終点ガイド部６を設けた異なる実施例を示す。
【００１６】
図１の切込誘導部５の場合、延出端（終端）は一定の幅で予め切り込まれているので、それ以上切り込まれることがないが、図４のように切込誘導部５が点線状に切り込まれている場合には、強く切り離すと切込誘導部５を超えて切り込みＫが形成される場合があるので、一定の幅で穿った孔からなる終点ガイド部６が形成されている。
【００１７】
これにより、切込誘導部５を終点ガイド部６まで切り離すことができ、これを超えて切り離すことがないように防止することができる。
その他の構成は、前記実施例と同様であるので、同一構成には同一符号を付して説明を省略する。
【００１８】
上記実施例では、切込誘導部５は常に所定長さの切り込みＫを形成するので、窓孔の大きさは、切込誘導部５を切り離す前の大きさ（窓孔１０の大きさ）と、切込誘導部５を切り離した後の大きさ（図１の実施例のように折り込みガイド部７に沿った大きさ、または図３の実施例のように表面部全域の大きさ）の２段階に変化させることができる。
【００１９】
切込誘導部５の切り離す長さを段階的に行うことにより、窓孔の大きさも２段階以上に変化させることができる。
図５の実施例では、各切込誘導部５が、基台２の表面部３の隅角部いっぱいに延びており、その各切込誘導部５の中途位置に複数、図示例では２つの第１、第２区切りガイド部９ａ、９ｂが設けられている。
【００２０】
また、各区切りガイド部９ａ，９ｂ毎に、これらを結ぶ第１、第２折り込みガイド部７１、７２が形成されている。
従って、被保持物品の大きさに合わせて、切込誘導部５を切り離す位置を、前記第１、第２区切りガイド部９ａまたは９ｂの位置、あるいは全部の内から最適のものを選んで切り離すことができるようになっている。
ここで、区切りガイド部の構造は終点ガイド部の構造と同一であって、その差異は切込誘導部に対する位置の相違しかない。
【００２１】
図示例では窓孔を４段階の大きさに広げることができる。
即ち、切込誘導部５を切り離さない段階での最小の窓孔１０と、第１区切りガイド部９ａまで切込誘導部５を切り離し、折り込みガイド部７１で囲まれた第２の窓孔と、第２区切りガイド部９ｂまで切込誘導部５を切り離し、折り込みガイド部７２で囲まれた第３の窓孔と、切込誘導部５を全て切り離し、基台２の表面部３全域とする第４の窓孔とを選択して、使用することができる。
その他の構成は前記実施例と同様であるので説明を省略する。
【００２２】
同様に、図６は、図１と同様の構成の切込誘導部５からなって、基台２の表面部３の隅角部いっぱいまで延びており、中途位置には円弧状の切り込みからなる区切りガイド部９が形成されている。
この区切りガイド部９は、切込誘導部５の左右に延びており、折り込みガイド部７と繋がっている。
従って、切込誘導部５は、区切りガイド部９まで、または全域の２段階に切り離すことができる。
その他の構成は前記実施例と同様である。
【００２３】
区切りガイド部９（終点ガイド６も同じ）は、切込誘導部５と交差する方向に延びる切込線であればよく、円弧状に限らず、直線や、傾斜線、折れ線など適宜形状であってもよい。
例えば、図７の実施例では、切込誘導部５が点線状の切り込み線であり、終点ガイド部６は、直線からなっている。
【００２４】
次ぎに、このような保持具１の使用法について次ぎに説明する。
図８では、一対の物品保持具１をフイルム１５が向かい合うようにして配置し、窓孔１０内に被保持物品Ｇを載置して、保持具拘束手段としての外箱２０に嵌め込む。
【００２５】
これにより被保持物品Ｇは、弾性を有するフイルム１５で引っ張られて挟圧保持される。
この場合、切込誘導部５は切り離されず、窓孔１０は、最小の大きさとなっている。
【００２６】
図９は、前記窓孔１０よりも大きい被保持物品Ｇを包装する場合であり、切込誘導部５を切り離して、拡大された窓孔１０’とした場合を示している。
上記実施例では、物品保持具１、１間に隙間を設けた場合を図示したが、物品保持具１、１を密着して被保持物品Ｇを保持するようにしてもよい。
【００２７】
図１０の実施例では、１つの物品保持具１を被包装物品Ｇの一方側に設けている。
そして、これと対向する被包装物品Ｇの他方側には該被包装物品Ｇと衝合する衝合部材２５が設けられている。
【００２８】
この衝合部材２５は、段ボールや発泡スチロール、あるいはゴムなどの緩衝材からなっており、例えば被保持物品Ｇを他方側を掛止める凹部２６を形成しておけば、被保持物品Ｇの他方側が位置決めしやすく好ましい。
【００２９】
そして、上記物品保持具１のフイルム１５で被保持物品Ｇの一方側から前記衝合部材２５に向けて押圧し、該押圧姿勢を、拘束手段として一例を示す外箱２０により拘束して、上記被保持物品Ｇを一方側で中空位置に保持して収納することができる。
【００３０】
上記実施例では、物品保持具１の基台２は一体に形成された箱型からなるが、この発明で基台の成形方法は問わない。
展開された段ボールを折り曲げて、基台を成形するものであると、折畳式であると、表面部だけを別に形成しておき基台本体に接着したり、掛止あるいは固着するなどの構造でもよい。
【００３１】
また、物品保持構造における拘束手段に外箱を用いたが、バンドや紐で拘束してもよい。
あるいは一対の物品保持部の一側を一体に繋げてヒンジ部とし、他側には掛止片とこれを受ける受孔を設けるなど公知の拘束手段を用いることができる。
また上記実施例では窓孔を正方形または長方形状としたが円形や楕円形、その他の幾何図形状であってもよい。
その他、要するにこの発明の要旨を変更しない範囲で種々設計変更しうること勿論である。
【００３２】
【発明の効果】
以上のようにこの発明の物品保持具によれば、切込誘導部を設けて必要に応じて切り離すことにより、窓孔を複数段階で大きくすることができるので、窓孔よりも大きい被保持物品を窓孔を広げることにより、適度な保持力で中空位置に保持することができる。
【図面の簡単な説明】
【図１】第１実施例の物品保持具の斜視図である。
【図２】切込誘導部を切り離して窓孔を大きくした状態の斜視図である。
【図３】異なる実施例の物品保持具の斜視図である。
【図４】終点ガイド部を設けた物品保持構造を示す斜視図である。
【図５】終点ガイド部を複数設けた別の実施例を示す要部平面図である。
【図６】終点ガイド部の異なる実施例を示す物品保持具の斜視図である。
【図７】終点ガイド部の別の実施例を示す要部平面図である。
【図８】小さい窓孔で物品を保持した物品保持状態を示す断面図である。
【図９】拡大した窓孔で物品を保持した物品保持状態を示す断面図である。
【図１０】別の物品保持状態を示す断面図である。
【符号の説明】
１    物品保持具
２    基台
３    表面部
４    周壁
５    切込誘導部
６    終点ガイド部
７    折り込みガイド部
８    可動片
９    区切りガイド部
１０    窓孔
１５    フイルム
２０    外箱
Ｇ    被保持物品
【図１】
2004210368.tif 000003
【図２】
2004210368.tif 000004
【図３】
2004210368.tif 000005
【図４】
2004210368.tif 000006
【図５】
2004210368.tif 000007
【図６】
2004210368.tif 000008
【図７】
2004210368.tif 000009
【図８】
2004210368.tif 000010
【図９】
2004210368.tif 000011
【図１０】
2004210368.tif 000012
【手続補正書】
【提出日】平成15年10月31日(2003.10.31)
【手続補正１】
【補正対象書類名】明細書
【補正対象項目名】全文
【補正方法】変更
【補正の内容】
【特許請求の範囲】
【請求項１】中空位置で略中央に形成された窓孔と、該窓孔を覆って基台に固着されたフイルムとを備えた物品保持具を用い、被保持物品を上記フイルムで押圧して保持してなる物品保持構造において、
物品保持具が、窓孔を表面部に形成した基台と、前記表面部に形成されて上記窓孔から対角線に沿って表面部の隅角部に向かう切込誘導部と、該切込誘導部の外端を結ぶ外周に沿う折り込みガイド部とを設けてなり、
窓孔が被保持物品より小さい場合には、切込誘導部に沿って基台表面部を切り離して切り込みを形成し、前記折り込みガイド部を中心にして隣接する一対の切り込み線に囲まれた可動片を傾動して窓孔を拡大することができるようにしたことを特徴とする物品保持構造。
【請求項２】切込誘導部の延出端に、切込誘導部と同一または幅広に形成された孔または切込誘導部と交差する切込線からなる終点ガイド部を設けており、該終点ガイド部を結ぶ線に沿って折り込みガイド部が形成されていることを特徴とする請求項１に記載の物品保持構造。
【請求項３】切込誘導部の中途位置に、切込誘導部を切り離した際に分離の区切りとなる区切りガイド部が設けられており、該区切りガイド部に沿って折り込みガイド部が形成されていることを特徴とする請求項１または２に記載の物品保持構造。
【発明の詳細な説明】
【０００１】
【産業上の利用分野】
この発明は、フイルムで覆われた窓孔を中空位置に保持する基台を用いて、被保持物品を保持して包装する物品保持具の改良に関する。
【０００２】
【従来の技術】
従来、窓孔を中空位置に保持する基台と、該基台に外周縁が固着され上記窓孔を緊張状態で覆って被保持物品を押圧するフイルムとからなる物品保持具の構造は知られている。
この従来構成では、緊張したフイルムを被保持物品が押圧して反発可能に変形させ、フイルムはその反発力で被保持物品を保持している。
そして、物品が窓孔より大きい場合に、窓孔に切込線とその外周に折り込み線を形成して窓孔を大きく開きうるようにした構成は知られている。
しかし、この構成では、窓孔は、隣接する切込線と折り込み線で囲まれた片がフイルムに僅かな力が加わっても傾いてしまうため、窓孔より小さい物品を保持する際に、窓孔を小さいままに保持することは困難であった。
そのため、実質的な窓孔は、折り込み線で囲まれた範囲となっており、大きさの異なる被保持物品を適切な保持力で保持することは困難であった。
【０００３】
【特許文献１】
特開平７−３３００３４号（包装装置の基本形状を示す。  図１参照）
【特許文献２】
特開平９−２９０８０４号（切込線を有する構造を示す。  図５参照）
【０００４】
【発明が解決しようとする課題】
この発明は上記問題点を解決するために創案されたものであって、その主たる課題は、切込誘導部を設けて、被保持物品が窓孔より小さい場合には切込誘導部を切り離さずに窓孔の大きさを維持し、被保持物品が窓孔より大きい場合には切込誘導部を切り離して基台の表面部に切り込みを入れて窓孔を大きくすることができるようにした物品保持具を提供することにある。
【０００５】
【課題を解決するための手段】
この発明は上記課題を解決するため、請求項１の発明では、
中空位置で略中央に形成された窓孔と、該窓孔を覆って基台に固着されたフイルムとを備えた物品保持具を用い、被保持物品を上記フイルムで押圧して保持してなる物品保持構造において、
物品保持具が、窓孔を表面部に形成した基台と、前記表面部に形成されて上記窓孔から対角線に沿って表面部の隅角部に向かう切込誘導部と、該切込誘導部の外端を結ぶ外周に沿う折り込みガイド部とを設けてなり、
窓孔が被保持物品より小さい場合には、切込誘導部に沿って基台表面部を切り離して切り込みを形成し、前記折り込みガイド部を中心にして隣接する一対の切り込み線に囲まれた可動片を傾動して窓孔を拡大することができるようにしてなる、という技術的手段を講じている。
また、請求項２の発明では、
前記切込誘導部の延出端に、切込誘導部と同一または幅広に形成された孔または切込誘導部と交差する切込線からなる終点ガイド部を設けており、該終点ガイド部を結ぶ線に沿って折り込みガイド部が形成されている、という技術的手段を講じている。
更に、請求項３の発明では、
前記切込誘導部の中途位置に、切込誘導部を切り離した際に分離の区切りとなる区切りガイド部が設けられており、該区切りガイド部に沿って折り込みガイド部が形成されている、という技術的手段を講じている。
【０００６】
【発明の実施の形態】
以下に、この発明の物品保持構造の好適実施例について図面を参照して説明する。
図１および図２に示す物品保持構造に用いる第１実施例の物品保持具１は、ボックス状の基台２の表面部３に窓孔１０を形成しており、基台２の表面部３には窓孔１０を覆う弾性および可撓性を有するプラスチック製のフイルム１５が張設されている。
【０００７】
即ち、基台２は、図示例の場合、扁平な矩形の表面部３とその４辺の外周に沿って垂下し表面部３を中空状に保持する周壁４を有し、底面側が開口する箱型からなっている。
この基台２の表面部３の中央に窓孔１０が設けられる。
【０００８】
窓孔１０の外側となる表面部３には、４つの切込誘導部５が放射状に設けられている。
即ち、この切込誘導部５は、窓孔１０の各隅角部から対角線に沿って表面部３の四隅の隅角部に向かって、本実施例ではその中途位置まで延びるように形成されている。
この切込誘導部５は、公知の帯状に形成された点線状の切り込みからなっており、先端（内端）を持って引き剥がすことにより表面部３が切り離されて切り込みＫが形成されるものである（図２参照）。
【０００９】
そして、この切込誘導部５の外端を結ぶ線に沿って、折り込みガイド部７が形成されている。
ここで折り込みガイド部７は、折り曲げる際の屈曲中心線となるもので、折り目や、折り目を作るためのガイドとして表示された点線、点線状の切り込みなどであってもよい。
また、切込誘導部５が表面部３の角隅部まで延びる場合は、その周壁４の上端となる角部が折り込みガイド部７に相当するので折り込みガイド部７として特別な構成は不要となる。
【００１０】
そして、図２に示すように、表面部３には、隣接する一対の切り込みＫ、Ｋとの間で折り込みガイド部７を屈曲中心線として折り曲げ可能な可動片８が形成され、被包装物品Ｇが窓孔１０の大きさより大きい場合に可動片８が折り込み線７に沿って折り曲げられて窓孔１０のエリアを広げ被包装物品Ｇを収納しうるようになっている。
【００１１】
この物品保持具１では、前記窓孔１０を緊張状態で覆って上記被保持物品を保持するフイルム１５が基台２に固着されている。
即ち、このフイルム１５は、可撓性および弾性を有するプラスチックフイルムまたはシートが用いられており、前記切込誘導部５および折り込みガイド部７の外側で縁部が基台２に接着されている。
【００１２】
図示例の場合、このフイルム１５は、その周縁部が基台２の表面部３で折り込みガイド部７の外側に接着されている。
これによりフイルム１５が基台２に固着し、窓孔１０ないし切込誘導部５が切り取られ、可動片８が傾動して拡大される窓孔１０’を覆うことができ、窓孔１０の周縁、または折り込みガイド部７で囲まれた拡大された窓孔１０’の周縁で撓んで被包装物品を保持することができるようになっている。
【００１３】
次ぎに、図３に示す物品保持具１は、表面部３の隅角部まで切込誘導部５を延出した異なる実施例を示す。
この場合、切込誘導部５を切り離すと、切り込みＫ（図示せず）は、表面部３の隅角部いっぱいまで形成されるので、可動片８は表面部３のコーナーＣを屈曲中心線として傾動するので折り込みガイド部７を設ける必要がない。
【００１４】
また、フイルム１５は基台２の表面部３の全域を覆ってその縁部が基台２の周壁４側で接着されている。これによりフイルム１５は基台２の表面部３では接着されておらず、窓孔１０が表面部３全域に拡大されても被保持物品を保持することができる。
その他の構成は前記実施例と同様であるのでその説明を省略する。
【００１５】
次ぎに、図４に示す物品保持具１は、切込誘導部５が点線状に切り込まれた切り込み線からなっており、その延出端に、終点ガイド部６を設けた異なる実施例を示す。
【００１６】
図１の切込誘導部５の場合、延出端（終端）は一定の幅で予め切り込まれているので、それ以上切り込まれることがないが、図４のように切込誘導部５が点線状に切り込まれている場合には、強く切り離すと切込誘導部５を超えて切り込みＫが形成される場合があるので、一定の幅で穿った孔からなる終点ガイド部６が形成されている。
【００１７】
これにより、切込誘導部５を終点ガイド部６まで切り離すことができ、これを超えて切り離すことがないように防止することができる。
その他の構成は、前記実施例と同様であるので、同一構成には同一符号を付して説明を省略する。
【００１８】
上記実施例では、切込誘導部５は常に所定長さの切り込みＫを形成するので、窓孔の大きさは、切込誘導部５を切り離す前の大きさ（窓孔１０の大きさ）と、切込誘導部５を切り離した後の大きさ（図１の実施例のように折り込みガイド部７に沿った大きさ、または図３の実施例のように表面部全域の大きさ）の２段階に変化させることができる。
【００１９】
切込誘導部５の切り離す長さを段階的に行うことにより、窓孔の大きさも２段階以上に変化させることができる。
図５の実施例では、各切込誘導部５が、基台２の表面部３の隅角部いっぱいに延びており、その各切込誘導部５の中途位置に複数、図示例では２つの第１、第２区切りガイド部９ａ、９ｂが設けられている。
【００２０】
また、各区切りガイド部９ａ，９ｂ毎に、これらを結ぶ第１、第２折り込みガイド部７１、７２が形成されている。
従って、被保持物品の大きさに合わせて、切込誘導部５を切り離す位置を、前記第１、第２区切りガイド部９ａまたは９ｂの位置、あるいは全部の内から最適のものを選んで切り離すことができるようになっている。
ここで、区切りガイド部の構造は終点ガイド部の構造と同一であって、その差異は切込誘導部に対する位置の相違しかない。
【００２１】
図示例では窓孔を４段階の大きさに広げることができる。
即ち、切込誘導部５を切り離さない段階での最小の窓孔１０と、第１区切りガイド部９ａまで切込誘導部５を切り離し、折り込みガイド部７１で囲まれた第２の窓孔と、第２区切りガイド部９ｂまで切込誘導部５を切り離し、折り込みガイド部７２で囲まれた第３の窓孔と、切込誘導部５を全て切り離し、基台２の表面部３全域とする第４の窓孔とを選択して、使用することができる。
その他の構成は前記実施例と同様であるので説明を省略する。
【００２２】
同様に、図６は、図１と同様の構成の切込誘導部５からなって、基台２の表面部３の隅角部いっぱいまで延びており、中途位置には円弧状の切り込みからなる区切りガイド部９が形成されている。
この区切りガイド部９は、切込誘導部５の左右に延びており、折り込みガイド部７と繋がっている。
従って、切込誘導部５は、区切りガイド部９まで、または全域の２段階に切り離すことができる。
その他の構成は前記実施例と同様である。
【００２３】
区切りガイド部９（終点ガイド６も同じ）は、切込誘導部５と交差する方向に延びる切込線であればよく、円弧状に限らず、直線や、傾斜線、折れ線など適宜形状であってもよい。
例えば、図７の実施例では、切込誘導部５が点線状の切り込み線であり、終点ガイド部６は、直線からなっている。
【００２４】
次ぎに、このような物品保持具１の使用法について説明する。
図８では、一対の物品保持具１をフイルム１５が向かい合うようにして配置し、窓孔１０内に被保持物品Ｇを載置して、保持具拘束手段としての外箱２０に嵌め込む。
【００２５】
これにより被保持物品Ｇは、弾性を有するフイルム１５で引っ張られて挟圧保持される。
この場合、切込誘導部５は切り離されず、窓孔１０は、最小の大きさとなっている。
【００２６】
図９は、前記窓孔１０よりも大きい被保持物品Ｇを包装する場合であり、切込誘導部５を切り離して、拡大された窓孔１０’とした場合を示している。
上記実施例では、物品保持具１、１間に隙間を設けた場合を図示したが、物品保持具１、１を密着して被保持物品Ｇを保持するようにしてもよい。
【００２７】
図１０の実施例では、１つの物品保持具１を被包装物品Ｇの一方側に設けている。
そして、これと対向する被包装物品Ｇの他方側には該被包装物品Ｇと衝合する衝合部材２５が設けられている。
【００２８】
この衝合部材２５は、段ボールや発泡スチロール、あるいはゴムなどの緩衝材からなっており、例えば被保持物品Ｇの他方側を掛止める凹部２６を形成しておけば、被保持物品Ｇの他方側が位置決めしやすく好ましい。
【００２９】
そして、上記物品保持具１のフイルム１５で被保持物品Ｇの一方側から前記衝合部材２５に向けて押圧し、該押圧姿勢を、拘束手段として一例を示す外箱２０により拘束して、上記被保持物品Ｇを一方側で中空位置に保持して収納することができる。
【００３０】
上記実施例では、物品保持具１の基台２は一体に形成された箱型からなるが、この発明で基台の成形方法は問わない。
展開された段ボールを折り曲げて基台を成形するものであると、折畳式であるとを問わない。また、表面部だけを別に形成しておき基台本体に接着したり、掛止あるいは固着するなどの構造でもよい。
【００３１】
また、物品保持構造における拘束手段に外箱を用いたが、バンドや紐で拘束してもよい。
あるいは一対の物品保持部の一側を一体に繋げてヒンジ部とし、他側には掛止片とこれを受ける受孔を設けるなど公知の拘束手段を用いることができる。
また上記実施例では窓孔を正方形または長方形状としたが円形や楕円形、その他の幾何図形状であってもよい。
その他、要するにこの発明の要旨を変更しない範囲で種々設計変更しうること勿論である。
【００３２】
【発明の効果】
以上のようにこの発明の物品保持具によれば、切込誘導部を設けて必要に応じて切り離すことにより、窓孔を複数段階で大きくすることができるので、窓孔よりも大きい被保持物品を窓孔を広げることにより、適度な保持力で中空位置に保持することができる。
【図面の簡単な説明】
【図１】第１実施例の物品保持具の斜視図である。
【図２】切込誘導部を切り離して窓孔を大きくした状態の斜視図である。
【図３】異なる実施例の物品保持具の斜視図である。
【図４】終点ガイド部を設けた物品保持構造を示す斜視図である。
【図５】終点ガイド部を複数設けた別の実施例を示す要部平面図である。
【図６】終点ガイド部の異なる実施例を示す物品保持具の斜視図である。
【図７】終点ガイド部の別の実施例を示す要部平面図である。
【図８】小さい窓孔で物品を保持した物品保持状態を示す断面図である。
【図９】拡大した窓孔で物品を保持した物品保持状態を示す断面図である。
【図１０】別の物品保持状態を示す断面図である。
【符号の説明】
１    物品保持具
２    基台
３    表面部
４    周壁
５    切込誘導部
６    終点ガイド部
７    折り込みガイド部
８    可動片
９    区切りガイド部
１０    窓孔
１５    フイルム
２０    外箱
Ｇ    被保持物品


【手続補正２】
【補正対象書類名】図面
【補正対象項目名】全図
【補正方法】変更
【補正の内容】
【図１】
2004210368.tif 000013
【図２】
2004210368.tif 000014
【図３】
2004210368.tif 000015
【図４】
2004210368.tif 000016
【図５】
2004210368.tif 000017
【図６】
2004210368.tif 000018
【図７】
2004210368.tif 000019
【図８】
2004210368.tif 000020
【図９】
2004210368.tif 000021
【図１０】
2004210368.tif 000022